(57)【要約】【課題】発光面の姿勢をカメラレンズの上方位置と側方位置のいずれに配置しても撮影画面に整合可能とするとともにコンパクト性及び操作性を向上させる。【解決手段】撮影用照明装置１００は、カメラレンズの少なくとも上方位置Ｕから側方位置Ｓに亘る案内範囲において内側へ屈曲した案内経路を備えた支持体１１０と、支持体の前記案内経路に沿ってスライド自在に取り付けられたスライダ１３０と、スライダに搭載され延長形状の発光面を備えた発光体１９０とを具備し、スライダは、上方位置と側方位置の間の中間位置においては発光体に対する取付姿勢が案内経路の案内方向を基準として回動可能に構成されることで支持体を基準とする取付姿勢を上方位置と側方位置で同一にすることが許容されるとともに、上方位置及び側方位置においては支持体を基準とする取付姿勢が保持される。【選択図】          図１
2010054525.tif 000002
【特許請求の範囲】
【請求項１】
カメラに装着される撮影用照明装置であって、
前記カメラに取り付けられるカメラ装着部、及び、前記カメラ装着部を前記カメラに装着したときにカメラレンズの少なくとも上方位置から側方位置に亘る案内範囲において内側へ屈曲した案内経路を備えた支持体と、
該支持体の前記案内経路に沿ってスライド自在に取り付けられたスライダと、
該スライダに搭載され、延長形状の発光面を備えた発光体と、
を具備し、
前記スライダは、前記上方位置と前記側方位置の間の中間位置においては前記発光体に対する取付姿勢が前記案内経路の案内方向を基準として回動可能に構成されることで、前記支持体を基準とする前記取付姿勢を前記上方位置と前記側方位置で同一にすることが許容されるとともに、前記上方位置及び前記側方位置においては前記支持体を基準とする前記取付姿勢が保持されることを特徴とする撮影用照明装置。
【請求項２】
前記スライダは、前記中間位置において前記取付姿勢が少なくとも前記発光面の延長方向を水平及び垂直とする二姿勢から選択可能となるように前記支持体を基準として回動可能に構成されるとともに、前記上方位置及び前記側方位置において前記二姿勢のいずれであっても前記取付姿勢が前記支持体に保持されることを特徴とする請求項１に記載の撮影用照明装置。
【請求項３】
前記案内経路は、前記上方位置を含み水平に伸びる水平案内部と、前記側方位置を含み垂直に伸びる垂直案内部と、前記水平案内部と前記垂直案内部を接続し、前記中間位置に設けられた交差部とを含み、
前記スライダは、前記水平案内部及び前記垂直案内部において前記取付姿勢が維持されることを特徴とする請求項１又は２に記載の撮影用照明装置。
【請求項４】
前記支持体は、前記案内経路の構成要素として案内方向に沿って平行に伸びる内外一対の案内レールを含み、
前記スライダは、前記内外一対の案内レールの内縁によりそれぞれ案内される一対の案内輪の組が案内方向前後に前記一対の案内輪間の距離と等しい間隔で二組配置されてなる四つの案内輪を備えたものとされ、
前記四つの案内輪により前記水平案内部及び前記垂直案内部において前記スライダの姿勢が維持されるとともに、前記交差部では前記四つの案内輪のうち少なくとも二つが内側の前記案内レールの内縁から離脱する態様で前記取付姿勢が前記支持体に対し回動可能に構成されることを特徴とする請求項３に記載の撮影用照明装置。
【請求項５】
前記発光面は前記案内経路の前方に配置されることを特徴とする請求項１乃至４のいずれか一項に記載の撮影用照明装置。
【請求項６】
前記発光面の中心は前記取付姿勢の回動軸線から外れた位置に設定されることを特徴とする請求項２乃至４のいずれか一項に記載の撮影用照明装置。
【発明の詳細な説明】
【技術分野】
【０００１】
本発明は、カメラに取り付け可能な撮影用照明装置に係り、特にカメラに対する取り付け位置を変更できる撮影用照明装置に関する。
【背景技術】
【０００２】
従来から、カメラ頂部に発光部（ストロボライト、フラッシュライト）が取り付けられたカメラを用いて、正規の撮影姿勢、すなわち、カメラを回転させることなく横長の撮影画面とする姿勢で撮影するいわゆる横撮影と、上記正規の撮影姿勢からカメラレンズの光軸回りに略９０度回転させた状態で構えて撮影するいわゆる縦撮影とを行うことがある。この場合、縦撮影の姿勢で発光部を発光させて撮影する場合には発光部はカメラレンズの側方に配置されるので、光が側方より被写体に照射されるため、撮影画面に横影が映り込んでしまうことがある。そこで、この横影の発生を防止するために、発光部をカメラレンズの上方位置と側方位置のいずれの位置にも配置できるストロボ取付装置や照明装置が考案されており、例えば、以下の特許文献１及び特許文献２に記載されている。
【０００３】
特許文献１に記載のストロボ取付装置は、略Ｌ字状のストロボブラケットと、このストロボブラケットにスライド自在に取り付けられ、ストロボ装置（照明装置、発光体）を取り付け可能に構成されたストロボ取付具とを有している。この装置では、ストロボ取付具をストロボブラケットに沿ってスライドさせることにより、ストロボ装置の発光部をカメラレンズの上方位置と側方位置のいずれの位置にも配置できるようになっている。
【０００４】
特許文献２に記載の照明装置は、横長の撮影画面を備えたカメラの側部に取り付け可能な照明装置本体と、先端部がカメラの上部位置と側部位置とのいずれの位置にも配置可能となるように前記照明装置本体に対して回転自在に取り付けられた回動腕と、前記回動腕の前記先端部に一定姿勢で固定された発光部とを有している。これにより、前記回動腕を回転させることにより発光部をカメラの上部位置と側部位置のいずれの位置にも配置でき、しかも、いずれの位置でも発光部の発光面を撮影画面と同じ姿勢とすることができるようになっている。なお、以下の特許文献３及び４に記載の装置でも、特許文献２と同様の回動腕を用いた構成が記載されている。
【特許文献１】登実第３０９９９０９号公報
【特許文献２】特開２００７−２７９２８６号公報
【特許文献３】実開平７−３２６５０号公報
【特許文献４】特開昭５５−１３７１２８号公報
【発明の開示】
【発明が解決しようとする課題】
【０００５】
しかしながら、特許文献１に記載のストロボ取付装置では、ストロボ取付具の取付姿勢がストロボブラケットの係合部分の案内面の向きに対して常に一定の姿勢となるように構成されているので、前記ストロボ取付具を上方位置から側方位置へスライドさせると、上記案内面の向きがＬ字形状に沿って変化するのに応じてストロボ装置の発光面の姿勢も横長姿勢から縦長姿勢へと変化することから、縦撮影においてストロボ装置の発光面がカメラの横長の撮影画面に整合しなくなるという問題がある。
【０００６】
一方、特許文献２乃至４に記載の照明装置では、発光部をカメラレンズの上方位置と側方位置のいずれに配置しても発光面は撮影画面に対し同じ姿勢とされるので、前記発光部の発光面と撮影画面との縦横比は常に整合したものとなる。しかしながら、前記発光部は前記回動腕を介して照明装置本体に取り付けられているので、上方位置と側方位置との間の中間位置では発光部の姿勢が回動腕の回動角に従って撮影画面に対し回動するため、中間位置における発光部の姿勢を制御することができないとともに、回動腕を用いることで取付装置をコンパクトに構成することができず、操作性も悪いという問題点がある。
【０００７】
そこで、本発明は上記問題点を解決するものであり、その課題は、発光面の姿勢をカメラレンズの上方位置と側方位置のいずれに配置しても撮影画面に整合させることができるとともに、コンパクト性及び操作性を向上させた撮影用照明装置を提供することにある。
【課題を解決するための手段】
【０００８】
上記課題を解決するために本発明の撮影用照明装置は、カメラに装着される撮影用照明装置であって、前記カメラに取り付けられるカメラ装着部、及び、前記カメラ装着部を前記カメラに装着したときにカメラレンズの少なくとも上方位置から側方位置に亘る案内範囲において内側へ屈曲した案内経路を備えた支持体と、該支持体の前記案内経路に沿ってスライド自在に取り付けられたスライダと、該スライダに搭載され、延長形状の発光面を備えた発光体と、を具備し、前記スライダは、前記上方位置と前記側方位置の間の中間位置においては前記発光体に対する取付姿勢が前記案内経路の案内方向を基準として回動可能に構成されることで、前記支持体を基準とする前記取付姿勢を前記上方位置と前記側方位置で同一にすることが許容されるとともに、前記上方位置及び前記側方位置においては前記支持体を基準とする前記取付姿勢が保持されることを特徴とする。
【０００９】
この発明によれば、スライダの発光体に対する取付姿勢が中間位置において案内方向を基準として回動可能に構成されることで支持体を基準とする発光体の姿勢を上方位置と側方位置で同一とすることができるため、上方位置及び側方位置の双方において発光面の姿勢を撮影画面と整合させることが可能になる。また、スライダのスライド構造により回動腕を不要とすることができるので、コンパクトに構成できるとともに操作性を高めることができる。さらに、上記のスライド構造において、中間位置ではスライダの取付姿勢を案内方向を基準として回動可能とする一方、上方位置及び側方位置では支持体に取付姿勢が保持されるので、スライド時の取付姿勢の自由度を高めても撮影時には発光体の姿勢が固定されるため、撮影時における操作性を悪化させることもない。
【００１０】
ここで、「スライダの発光体に対する取付姿勢」とは、スライダのうち、少なくとも発光体に対し直接若しくは間接的に固定される部分の姿勢を言い、後述する実施例のようにスライダ全体が一体に構成される場合にはスライダの姿勢そのものであるが、スライダの一部が発光体に対し直接若しくは間接的に固定されるが、当該一部に対し他の部分が可動に構成される場合（例えば、他の部分が支持体に対し一定の姿勢とされ、一部が支持体に対し回動可能に構成される場合など）には、当該一部の姿勢を言う。
【００１１】
本発明の一の態様においては、前記スライダは、前記中間位置において前記取付姿勢が少なくとも前記発光面の延長方向を水平及び垂直とする二姿勢から選択可能となるように前記支持体を基準として回動可能に構成されるとともに、前記上方位置及び前記側方位置において前記二姿勢のいずれであっても前記取付姿勢が前記支持体に保持される。これによれば、上方位置及び側方位置のいずれにおいても発光体の姿勢を延長方向を水平及び垂直とする二姿勢のいずれにも設定し、保持することが可能になるため、照明状態を状況に応じて高い自由度で選択することが可能になる。
【００１２】
本発明の他の態様においては、前記案内経路は、前記上方位置を含み水平に伸びる水平案内部と、前記側方位置を含み垂直に伸びる垂直案内部と、前記水平案内部と前記垂直案内部を接続し、前記中間位置に設けられた交差部とを含み、前記スライダは、前記水平案内部及び前記垂直案内部において前記取付姿勢が維持される。これによれば、案内構造において中間位置に設けられる交差部を介して接続される水平案内部と垂直案内部を設けるとともに両案内部において取付姿勢が維持されることにより、発光面の姿勢が維持される範囲に水平方向及び垂直方向に自由度を持たせることができるので、操作性をさらに向上させることが可能になる。
【００１３】
特に、交差部において取付姿勢を上記二姿勢から選定することができる場合には、交差部において発光部の姿勢を選択した上で水平案内部又は垂直案内部へと移動させることで選択した姿勢が保持されるので、発光体の姿勢を選択可能としつつ、発光体の姿勢が維持された状態で発光位置の水平方向及び垂直方向の自由度を高めることができる。
【００１４】
この場合には、前記支持体は、前記案内経路の構成要素として案内方向に沿って平行に伸びる内外一対の案内レールを含み、前記スライダは、前記内外一対の案内レールの内縁によりそれぞれ案内される一対の案内輪の組が案内方向前後に前記一対の案内輪間の距離と等しい間隔で二組配置されてなる四つの案内輪を備えたものとされ、前記四つの案内輪により前記水平案内部及び前記垂直案内部において前記スライダの姿勢が維持されるとともに、前記交差部では前記四つの案内輪のうち少なくとも二つが内側の前記案内レールの内縁から離脱する態様で前記取付姿勢が前記支持体に対し回動可能に構成されることが好ましい。このように、スライダに設けられた四つの案内輪のうち少なくとも二つの案内輪が交差部において案内レールの内縁から離脱してスライダの姿勢が回動可能とされることで、スライダと案内構造との関係だけで、水平案内部及び垂直案内部における取付姿勢の保持が可能になるとともに交差部における取付姿勢の回動も可能になるため、支持体の構成を簡易に構成できる。
【００１５】
本発明の他の態様においては、前記発光面は前記案内経路の前方に配置される。これによれば、発光面の位置が案内経路の前方に配置されることで外形を小さくして装置をコンパクトに構成できるとともに、カメラレンズと発光面の距離を小さく構成できるために撮影画像中の影を低減できる。
【００１６】
本発明の別の態様においては、前記発光面の中心は前記取付姿勢の回動軸線から外れた位置に設定される。これによれば、スライダの発光部に対する取付姿勢が前記発光面の中心から外れた位置にある回動軸線の周りを回動可能に構成されていることにより、取付姿勢の回動により発光面が偏心動作するので、発光体の姿勢に応じて発光面とカメラレンズの距離を変化させることができる。したがって、発光体の姿勢を変えることで発光面をカメラレンズにより接近させることができる。
【００１７】
この場合にはさらに、前記スライダのに前記取付姿勢は少なくとも１８０度の範囲で回動可能に構成されていることが好ましい。これによれば、回動軸線と発光面の中心との位置ずれに基づく発光面の移動範囲を最大限に確保することができる。特に、前記発光面が前記カメラレンズ側に位置する角度と反対側に位置する角度の間で回動可能に構成されることが、カメラレンズと発光面の距離を大きく変化させることができる点で望ましい。
【００１８】
本発明のさらに異なる態様においては、前記案内構造は前記カメラ取付部に対し前記レンズの光軸方向に移動可能に構成される。この発明によれば、案内構造を移動させることで前記発光面をカメラレンズの略光軸方向に移動させることができるので、カメラレンズの筒状部の影が撮影画面に映り込む、いわゆるケラレを防止できる。
【発明を実施するための最良の形態】
【００１９】
以下に図面を参照して本発明に係る実施形態の撮影用照明装置について詳細に説明する。図１は本発明に係る実施形態の撮影用照明装置における発光体（閃光ユニット）をカメラレンズの上方位置に配置した状態を示す概略正面図、図２は図１の撮影用照明装置の概略右側面図、図３は図１の撮影用照明装置において発光体をその姿勢を保持したままカメラレンズの側方位置に配置した状態を示す概略正面図、図４は図１の撮影用照明装置において発光体を９０度回転させた姿勢で側方位置に配置した状態を示す概略正面図である。
【００２０】
なお、以下の説明においては、カメラを正規の撮影姿勢（撮影画面Ｓを横長とした姿勢）を基準として、撮影方向を前方、カメラの上側を上方、カメラの左右を側方、カメラの下側を下方として記述するが、これらの各方向は正規の姿勢にあるカメラに取り付けた場合の撮影用照明装置の位置関係を説明するための便宜上のものであり、重力下における絶対的な上下方向を基準とするものではない。
【００２１】
この撮影用照明装置１００は、カメラに取り付け可能に構成された支持体１１０と、支持体１１０にスライド可能に取り付けられたスライダ１３０と、該スライダ１３０に取り付けられた保持具１２０と、この保持具１２０を介してスライダ１３０に装着された発光体（閃光ユニット）１９０とから構成される。
【００２２】
図１及び図２に示すように、支持体１１０はカメラレンズＬを囲むようにカメラＣに取り付け可能に構成されており、カメラレンズＬの上方位置から下方位置までの案内範囲を有し、内側（カメラレンズＬ側）に屈曲（屈折を含む）した、スライダ１３０を案内するためのＬ字形状の案内部材１５０と、該案内部材１５０の一方の端部（図示下端部）に装着された係合部材１１１と、この係合部材１１を介して案内部材１５０に連結され、カメラレンズの光軸方向の被写体側（図示前方）へ伸びる延在部材１１２と、この延在部材１１２に取り付けられるとともにカメラＣの下部に着脱可能に取り付けられる取付部材１１３とを有する。
【００２３】
保持具１２０は、正面視略Ｌ字形に屈曲した部材であって、略水平の水平板状部１２１と、その水平板状部１２１の一端から略垂直に伸びる垂直板状部１２２と、その垂直板状部１２２の水平板状部１２１とは反対側の端部の背面側から略水平方向に張り出した接続板状部１２３とを有し、発光体１９０は、水平板状部１２１、垂直板状部１２２及び接続板状部１２３によって囲まれた空間内に収容された状態で、止めねじ１２０ａによって上記水平板状部１２１に固定されている。また、保持具１２０の接続板状部１２３は止めねじ１２０ｂによってスライダ１３０に固定されている。
【００２４】
また、この保持具１２０の垂直板状部１２２の中間部分には切り欠き１２２ａが形成されている。この切り欠き１２２ａは階段状の凹部であり、垂直板状部１２２のカメラＣの正面側側端から背面側側端に向かって凹んでいる。この切り欠き１２２ａには、発光体１９０とカメラＣの上部とを電気的に接続するコードｃｄが発光体１９０の発光面１９２Ａの前方を横切らないように、このコードｃｄを引っ掛けることで保持することができる。
【００２５】
ここで、この発光体１９０はカメラＣの上部に形成されたホットシューに着脱自在に取り付け可能な市販のフラッシュライト（ストロボライト）であるが、本発明においては特に限定されない。この発光体１９０は、電源及び制御回路が内蔵された本体１９１と、この本体１９１に回動自在に取り付けられた発光部１９２とを有し、この発光部１９２の先端部には光が出射する延長形状の発光面１９２Ａが備えられている。発光面１９２Ａは矩形状に構成され、図１乃至図３に示す基準姿勢では長手方向が水平とされる横長形状となる。
【００２６】
この発光体１９０は、その発光部１９２を本体１９１に対して折り曲げて図示のように発光面１９２Ａを略水平方向に向けることができるとともに、本体１９１に対して真っ直ぐに伸ばすこともできるように構成される。これにより、その発光面１９２Ａからの光を被写体に直接照射した状態での撮影と、発光面１９２Ａからの光を天井等の周囲に照射してその反射光を被写体に照射した状態での撮影、いわゆるバウンス撮影とを選択できるようになっている。ただし、本実施形態の上記案内経路１５０Ｇを用いた構成は基本的に前者の撮影方法において効果を奏するものである。
【００２７】
また、発光体１９０の本体１９１における発光部１９２とは反対側の端部からコードｃｄが導出され、このコードｃｄはカメラＣの上部に接続されて発光体１９０とカメラＣとを電気的に接続している。これにより、発光体１９０の発光タイミングをカメラＣのシャッター動作に同調させることができる。
【００２８】
図５に示すように、スライダ１３０は対向配置された２枚の矩形状の板体１３１、１３２と、この２枚の板体１３１、１３２を所定の間隔を空けた状態で連結するスペーサ１３３と、２枚の板体１３１、１３２に両端が取り付けられた四本の支軸１３４と、この支軸１３４に回転自在に軸支された合計４つの案内輪１４１、１４２、１４３、１４４とを有する。これらの案内輪１４１〜１４４は、上記の支軸１３４に共に軸支されたそれぞれ一対のガイドローラ１４１ａ，１４１ｂ、１４２ａ，１４２ｂ、１４３ａ，１４３ｂ、１４４ａ，１４４ｂにより構成される。各支軸１３４に軸支された四つの案内輪１４１、１４２、１４３、１４４は、上下方向及び左右方向に互いに等しい間隔を空けて、正方形の頂点に相当する位置にそれぞれ配置されている。
【００２９】
なお、上記の構成では８本のガイドローラが４本の支軸１３４に２本ずつ軸支されて合計４つの案内輪を構成しているが、一体に構成された４本の案内輪を設けてもよいことはもちろんである。
【００３０】
また、図６に示すように、スライダ１３０のスペーサ１３３の外周面には、上側外面、左側外面及び右側外面のそれぞれ中央部に凹部１３３ａ、１３３ｂ、１３３ｃが形成されている。これらの凹部１３３ａ、１３３ｂ、１３３ｃは略半球状に湾曲した窪みであり、支持体１１０に取り付けられた後述する掛止ピン１６２、１７２の先端部を嵌入可能に構成される。なお、図示しないが、スペーサ１３３の下側外面に同様の凹部を設けてもよい。
【００３１】
また、図４に示すように、Ｌ字形状の案内部材１５０は正面視略Ｌ字状に屈曲した板状部材であって、略９０度にそれぞれ折曲した内外２本の案内レール部１５１、１５２と、この２本の案内レール部１５１、１５２の両端にそれぞれ一体形成された上端部と下端部１５３とから構成され、全体として案内レール部１５１と１５２の間の開口部１５０ａを取り囲む枠状に構成されている。
【００３２】
この２本の案内レール部１５１、１５２及びその間の開口部１５０ａにより構成される案内経路１５０Ｇは、カメラレンズＬの上方位置Ｕを端部として水平方向（図示右側）に伸びる水平案内部１５０Ｘと、カメラレンズＬの側方において垂直下方へ伸び、カメラレンズＬの側方位置Ｓを端部とする垂直案内部１５０Ｙと、水平案内部１５０Ｘと垂直案内部１５０Ｙを接続する交差部１５０Ｚとが設けられる。水平案内部１５０Ｘでは案内レール１５１と１５２は共に水平に伸び、その間に開口部１５０ａが水平に延在する。垂直案内部１５０Ｙでは案内レール１５１と１５２は垂直方向に伸び、その間に開口部１５０ａが垂直方向に延在する。
【００３３】
２本の案内レール部１５１、１５２は、水平案内部１５０Ｘにおける上下方向の間隔と垂直案内部１５０Ｙにおける左右方向の間隔とが同一幅となるように構成される。交差部１５０Ｚでは開口部１５０ａの下側及び左側方において内側の案内レール部１５２が存在せず、垂直下方及び左側方へ開放された構造となっている。
【００３４】
また、案内部材１５０の両端部には掛止手段１６０、１７０がそれぞれ設けられている。これら掛止手段１６０、１７０は、外側の案内レール部１５１の外縁から内側のレール部１５２に対向する内縁まで貫通する孔１６１、１７１と、この孔１６１、１７１の中にそれぞれ配置された掛止ピン１６２、１７２と、孔１６１、１７１の中に配置され、掛止ピン１６２、１７２を内側に向かって付勢するばね１６３、１７３と、孔１６１，１７１の外端を閉鎖し、外側の案内レール部１５１にそれぞれ２本の止めねじ１６４、１６５、１７４、１７５によって固定された閉鎖部材１６６、１７６とを有する。
【００３５】
後述するように、スライダ１３０が案内経路１５０Ｇの両端部（水平案内部１５０Ｘと垂直案内部１５０Ｙの端部）にある上方位置Ｕ及び側方位置Ｓにそれぞれ配置されると、掛止ピン１６２、１７２の先端がスライダ１３０の上記凹部１３３ａ、１３３ｂ、１３３ｃのいずれかに嵌入してスライダ１３０が掛止され、スライダ１３０が所定の保持力で保持固定される。この状態でスライダ１３０に所定のしきい値以上の力を案内方向に加えると、掛止ピン１６２、１７２の先端が凹部１３３ａ、１３３ｂ、１３３ｃからばね１６３、１７３の付勢力に抗して案内レール部１５１内に没入することで、スライダ１３０が移動可能になる。
【００３６】
ここで、スライダ１３０は、図５に示すように、２枚の板体１３１と１３２が２本の案内レール部１５１、１５２を表裏（前面及び背面）両側から狭持するように案内部材１５０に係合している。この状態において、スライダ１３０の２枚の板体１３１、１３２の周縁部の内面は２本の案内レール部１５１、１５２の前面及び背面にスライド自在に当接している。
【００３７】
図６乃至図８は案内経路１５０Ｇ上のスライダ１３０の移動態様を示す説明図である。ここで、案内経路１５０Ｇの外側には、内側に示すスライダ１３０の姿勢と対応する発光面１９２Ａの姿勢を示してあり、図示Ｐは延長方向が水平に向いた横長姿勢の発光面を示し、図示Ｑは延長方向が垂直に向いた縦長姿勢の発光面を示している。図６には支持体１１０を基準とするスライダ１３０の姿勢を一定にしたまま上方位置Ｕから側方位置Ｓまでスライド移動させる過程を示し、図７には交差部１５０Ｚ（中間位置）において支持体１１０を基準としてスライダ１３０を９０度回動させてスライド移動させる過程（案内経路１５０Ｇを基準とすれば一定の姿勢で移動させる過程）を示し、図８には一定の姿勢のままで側方位置Ｓから上方位置Ｕまで移動させる過程を示す。
【００３８】
図６に示すように、スライダ１３０の４つの案内輪１４１、１４２、１４３、１４４は、それぞれ案内レール部１５１、１５２の内縁に回動自在に当接し、これによってスライダ１３０が案内経路１５０Ｇに沿って一定の姿勢（スライダ１３０の発光体１９０に対する取付姿勢、以下同様）でスライド可能に構成される。すなわち、水平案内部１５０Ｘでは上側に配置される二つの案内輪（図示例では１４１と１４３）が案内レール部１５１の内縁に当接し、下側に配置される二つの案内輪（図示例では１４２と１４４）が案内レール部１５２の内縁に当接するので、スライダ１３０は一定の姿勢で水平方向に移動可能になる。また、垂直案内部１５０Ｙでは右側に配置される二つの案内輪（図示例では１４３と１４４）が案内レール部１５１の内縁に当接し、左側に配置される二つの案内輪（図示例では１４１と１４２）が案内レール部１５２の内縁に当接するので、スライダ１３０は一定の姿勢で垂直方向に移動可能となる。つまり、水平案内部１５０Ｘ及び垂直案内部１５０Ｙでは、上方位置Ｕ及び側方位置Ｓをも含めスライダ１３０の姿勢は常に一定に保持される。
【００３９】
ここで、交差部１５０Ｚにおいては、案内輪１４１，１４２，１４３，１４４のうち少なくとも二つの案内輪が内側の案内レール部１５２の内縁から離脱することとなるので、スライダ１３０の姿勢は保持されない状態となり、これにより、スライダ１３０は支持体１１０に対しカメラレンズＬの光軸と平行でスライダ１３０を通過する軸線周りに回動可能とされる。このとき、スライダ１３０が水平案内部１５０Ｘ及び垂直案内部１５０Ｙで保持され得る或る姿勢から他の姿勢へと変化する途中では、少なくとも二つの案内輪が案内レール１５１、１５２のいずれの内縁からも離間した状態となる。
【００４０】
したがって、図６及び図８に示すようにスライダ１３０の支持体１１０に対する姿勢を維持したまま水平案内部１５０Ｘと垂直案内部１５０Ｙの間を行き来するように移動させることができるだけでなく、図７に示すように水平案内部１５０Ｘにあるときと垂直案内部１５０Ｙにあるときのスライダ１３０の姿勢を９０度、１８０度、２７０度回動させて四通りの姿勢のうちいずれか一つから他の姿勢に変えることも可能である。本実施形態の場合、交差部１５０Ｚにおけるスライダ１３０の回動角は特に制限されないが、水平案内部１５０Ｘ及び垂直案内部１５０Ｙにおけるスライダ１３０の姿勢は案内レール部１５１、１５２と４つの案内輪１４１〜１４４の位置関係によって９０度間隔の上記四通りに限定される。ただし、本実施形態では保持具１２０及び発光体１９０とカメラレンズＬとの干渉によって四通りの姿勢のうちの一部がスライダ１３０の位置に応じて制限される場合がある。
【００４１】
本実施形態では、案内経路１５０Ｇが内側（カメラレンズＬ側）に屈曲しているが、図６及び図８に示すように支持体１１０を基準とするスライダ１３０の姿勢を一定にしたまま上方位置Ｕと側方位置Ｓとの間を移動させることができる。すなわち、案内方向は上方位置Ｕと側方位置Ｓとの間の中間位置で９０度変化しているが、スライダ１３０の支持体１１０を基準とする姿勢は一定とすることができるように構成されている。この場合、スライダ１３０の姿勢は、案内経路１５０Ｇの案内方向を基準として見ると中間位置にある交差部１５０Ｚにおいて回動したことになる。したがって、本実施形態では、上方位置Ｕにおける支持体１１０を基準とするスライダ１３０の姿勢と、側方位置Ｓにおける支持体１１０を基準とするスライダ１３０の姿勢とが同一となるように操作できる。この点が上記特許文献１との実質的な相違点である。
【００４２】
本実施形態では、上記案内経路１５０ＧはカメラレンズＬの光軸と直交する平面上に構成される。通常は案内経路１５０ＧはカメラＣの本体の背面とカメラレンズＬの前端Ｌｅとの間に配置される。また、発光体１９０及びその発光面１９２Ａは常に案内経路１５０Ｇの前方（被写体側）に配置される。これにより、撮影用照明装置１００をコンパクトに構成できるとともに、発光面１９２ＡとカメラレンズＬとを接近させることが可能になる。
【００４３】
また、図２に示すように、発光体１９０の発光面１９２Ａの中心１９２ｘはスライダ１３０の回動軸線１３０ｘから外れた位置にある。より具体的には、当該中心１９２ｘに対して回動軸線１３０ｘが発光面１９２Ａの長手方向と直交する方向にずれている。これにより、図１に示すように発光面１９２Ａが上方位置Ｕにあるときには発光面１９２Ａをスライダ１３０の下方に配置することでカメラレンズＬの側にさらに接近させて配置することができ、また、図４に示すように発光面１９２Ａが側方位置Ｓにあるときにも発光面１９２Ａをスライダ１３０の図示左側に配置することでカメラレンズＬの側にさらに接近させて配置することができる。なお、図１に示す状態と図４に示す状態では支持体１１０に対するスライダ１３０の姿勢を相対的に９０度回動させた異なる姿勢とする必要がある。
【００４４】
支持体１１０において、係合部材１１１の背面部には上端から下端まで上下方向に伸びる垂直凹溝が形成され、この垂直凹溝に案内部材１５０の下端部１５３が上下方向に摺動可能に嵌合し、任意の位置で止めねじ１１１ａによって固定される。また、係合部材１１１の底部には前端から後端まで前後方向に伸びる水平凹溝が形成され、この水平凹溝に延在部材１１２が前後に摺動可能に嵌入し、任意の位置で止めねじ１１１ｂによって固定される。この延在部材１１２には前後方向に延長された長孔が形成され、この長孔に止めねじ１１１ｂの軸部が挿入された状態とされている。これにより、止めねじ１１１ｂを挿通させたまま止めねじ１１１ｂを緩めるだけで延在部材１１２に対する係合部材１１１の前後位置を移動させることができ、これにより、発光面１９２Ａを前後に移動させることが可能になる。例えば、発光面１９２Ａの位置をカメラレンズＬの前端Ｌｅに接近させることができる。
【００４５】
側方に伸びる板状部材で構成される取付部材１１３はカメラＣの底部に止めねじ１１３ａにより着脱可能に固定される。具体的には取付部材１１３の一端部側に取付部材１１３の長手方向に伸びる長孔が形成され、この長孔に止めねじ１１３ａが挿通した状態でカメラアタッチメントＡにねじ込まれることで取付部材１１３が取り付けられている。このカメラアタッチメントＡはカメラＣの本体の底部に接続されている。なお、カメラＣの本体にカメラアタッチメントＡが接続されていない場合には、この取付部材１１３を止めねじ１１３ａによってカメラＣの本体の底部に直接取り付けてもよい。
【００４６】
また、取付部材１１３の他端部は延在部材１１２の基端部と重ね合わされた状態で止めねじ１１３ｂがねじ込まれ、これにより取付部材１１３と延在部材１１２が直交する姿勢で連結されている。この止めねじ１１３ｂを緩めることによって延在部材１１２は取付部材１１３に対して回動自在になるので、延在部材１１２の長手方向の向きを調整できる。使用時には当該長手方向をカメラレンズＬの光軸方向に整合させることが好ましい。
【００４７】
上述のように構成された撮影用照明装置１００では、図１及び図２に示すように、支持体１１０をカメラＣの底部に取り付けることで、案内部材１５０によって構成される内側に屈曲したＬ字状の案内経路１５０ＡがカメラレンズＬの上方位置Ｕから側方位置Ｓまでの案内範囲を有する態様とされ、しかも、延在部材１１２に沿って前後方向に移動可能に構成される。このとき、延在部材１１２の長手方向はカメラレンズＬの光軸方向に一致するように設定されている。
【００４８】
本実施形態においては、案内部材１５０により構成され、カメラレンズＬの上方位置Ｕから側方位置Ｓまでの案内範囲を有する案内経路１５０Ｇに沿ってスライダ１３０がスライド可能に構成され、しかも、上方位置Ｕと側方位置Ｓの間の中間位置にある交差部１５０Ｚにあるときに案内経路１５０Ｇの案内方向を基準として回動可能に構成されることで、図１に示すように発光体１９０が上方位置Ｕにあるときのスライダ１３０の支持体１１０に対する基準姿勢と、図３に示すように発光体１９０が側方位置Ｓにあるときのスライダ１３０の支持体１１０に対する姿勢とを一致させることができる。したがって、上方位置Ｕと側方位置Ｓにおいて共に発光面１９２Ａの姿勢を撮影画面Ｓと整合させることができるので、撮影時の照明状態を最適化できる。
【００４９】
また、本実施形態では水平案内部１５０Ｘと垂直案内部１５０Ｙにおいてスライダ１３０の支持体１１０に対する姿勢が保持されるので、撮影時に発光体１９０の姿勢が変化してしまうこともなく、また、発光体１９０の姿勢を保持するための操作が別途必要になることもないため、操作性がきわめて良好である。例えば、正規の姿勢での撮影（横撮影）と縦撮影では、通常、水平案内部１５０Ｘの案内範囲に含まれる上方位置Ｕと、垂直案内部１５０Ｙの案内範囲に含まれる側方位置Ｓとにスライダ１３０が配置された状態でそれぞれ操作が行われるので、いずれの撮影時においても発光体１９０の姿勢は保持された状態とされる。
【００５０】
さらに、本実施形態ではカメラレンズＬの上方位置Ｕから側方位置Ｓまでの案内範囲を有する案内経路１５０Ｇに沿って発光体１９０が移動可能に構成されるので、回動腕を用いる場合に比べてコンパクトに構成できる。特に、発光面１９２Ａが案内経路１５０Ｇの前方に配置されるため、発光面１９２ＡをカメラレンズＬに対し従来より接近させて配置することができる。
【００５１】
また、本実施形態の場合、発光面１９２Ａの中心１９２ｘがスライダ１３０の回動軸線１３０ｘから外れた位置にあるので、スライダ１３０の回動姿勢を調整することにより発光面１９２Ａを案内経路１５０ＧよりもカメラレンズＬの側にさらに接近させて配置することができるから、照明効果を高めることができるとともに撮影像に照明の影が映りこみにくくなるという利点がある。なお、この利点は、本実施形態では図１及び図４に示すように上方位置Ｕでも側方位置Ｓでも得ることができる。
【００５２】
また、案内部材１５０が係合部材１１１を介して延在部材１１２に沿って前後方向（カメラレンズＬの光軸方向）に移動可能に構成されることで、発光体１９０をカメラレンズＬの光軸方向に移動させることができるため、最適な照明状態を得ることが可能になる。例えば、発光面１９２ＡをカメラレンズＬの前端Ｌｅに接近させることで照明効果を高めることができ、ケラレなども防止できる。
【００５３】
尚、本実施形態の撮影用照明装置１００は、上述の図示例にのみ限定されるものではなく、本発明の要旨を逸脱しない範囲内において種々変更を加え得ることは勿論である。例えば、本実施形態においては、スライダ１３０をＬ字形状の案内経路１５０Ｇに沿ってスライド可能に構成しているが、上方位置Ｕと側方位置Ｓの間の案内範囲を含み、内側に屈曲したものであれば、Ｌ字形状の案内経路１５０Ｇではなく、円弧状に湾曲した案内経路を構成してもよく、また、Ｌ字形状ではなく、カメラレンズＬの上方位置Ｕと左右両方の側方位置との間に亘る案内範囲を有するコ字状或いはＵ字状の案内経路を構成してもよい。
【００５４】
また、案内経路１５０Ｇの途中（中間位置）でスライダ１３０を回動可能に構成する手段としては、上記の四つの案内輪１４１〜１４４と交差部１５０Ｚの組み合わせ以外にも、中間位置において案内経路１５０Ｇの開口部１５０ａを円形に構成する、案内レール１５１と１５２の間隔を部分的に広げる、案内経路１５０Ｇに係合するスライダ１３０の係合部分（案内輪１４１〜１４４）と発光体１９０への取付部分（板体１３１）とを回動可能に構成し、中間位置以外では案内部材１５０により上記係合部分と上記取付部分との回動が規制されるように構成するなどというように、種々の構造、方法で実現することができる。
【図面の簡単な説明】
【００５５】
【図１】本発明に係る実施形態の撮影用照明装置における発光体をカメラレンズの上方位置に配置した状態を示す概略正面図。
【図２】図１の撮影用照明装置の概略右側面図。
【図３】図１の撮影用照明装置における発光体をその姿勢を保持したままカメラレンズの側方位置に配置した状態を示す概略正面図。
【図４】図３の撮影用照明装置における発光体を９０度回転させた状態を示す概略正面図。
【図５】撮影用照明装置におけるスライダ及び案内部材の取付状態を示す拡大断面図。
【図６】スライダを案内経路に沿って支持体に対する一定の姿勢で上方位置Ｕから側方位置Ｓまで平行移動させるときの様子を示す説明図。
【図７】スライダを交差部で９０度回転させた時の様子を示す説明図。
【図８】９０度回転させたスライダを側方位置Ｓから上方位置Ｕへ支持体に対する一定の姿勢で戻すときの様子を示す説明図。
【符号の説明】
【００５６】
１００…撮影用照明装置、１１０…支持体、１２０…保持具、１２１…水平板状部、１２２…垂直板状部、１２２ａ…切り欠き、１２３…接続板状部、１３０…スライダ、１３０ｘ…回転軸線、１３１、１３２…板体、１３３…スペーサ、１３３ａ、１３３ｂ、１３３ｃ…凹部、ローラ…１４１、１４２、１４３、１４４、１４５、１４６、１４７、１４８、１５０…Ｌ形部材、１５１、１５２…レール部、１５３…下端部、１６０、１７０…掛止手段、１６１、１７１…孔、１６２、１７２…掛止ピン、１６３、１７３…ばね、１１１ａ、１１１ｂ、１１３ａ、１２０ａ、１２０ｂ、１６４、１６５、１７４、１７５…止めねじ、１６６、１７６…閉鎖部材、１１１…係合部材、１１２…延在部材、１１３…取付部材、１９０…発光体、１９１…本体、１９２…発光部、１９２Ａ…発光面、１９２ｘ…発光面の中心１３１、１３２…閉鎖部材、Ａ…カメラアタッチメント、Ｃ…カメラ、ｃｄ…コード、Ｌ…カメラレンズ、Ｌｅ…前端、Ｐ…横長姿勢の発光面、Ｑ…縦長姿勢の発光面、Ｓ…撮影画面
【図１】
2010054525.tif 000003
【図２】
2010054525.tif 000004
【図３】
2010054525.tif 000005
【図４】
2010054525.tif 000006
【図５】
2010054525.tif 000007
【図６】
2010054525.tif 000008
【図７】
2010054525.tif 000009
【図８】
2010054525.tif 000010